【事件の表示】
　特願２０００−３５５３７１「画像処理装置」拒絶査定不服審判事件〔平成１４年　５月３１日出願公開、特開２００２−１５８８８５〕について、次のとおり審決する。
【結　論】
　本件審判の請求は、成り立たない。
【理　由】
第１　手続の経緯
　本願は、平成１２年１１月２２日の出願であって、平成１９年１１月１５日付けの拒絶理由通知に対して平成２０年１月９日付けで手続補正がなされ、同年１月３０日付けの拒絶理由通知に対して同年３月２６日付けで手続補正がなされたが、同年４月１４日付けで拒絶査定がなされ、これに対し、同年５月２２日に拒絶査定不服審判が請求されるとともに、同年６月１９日付けで手続補正（以下、「本件補正」という。）がなされたものである。
　
第２　平成２０年６月１９日付けの手続補正について
１．本件補正前及び本件補正後の本願発明
　本件補正は、明細書（特許請求の範囲及び段落【０００７】）についてするもので、特許請求の範囲については、補正前（平成２０年３月２６日付け手続補正）に、
「【請求項１】　画像を構成する画素の赤色成分、緑色成分及び青色成分のカラー信号の各成分の輝度差に基づいて画素毎の明度補正量を算出する明度補正部と、
　前記赤色成分、緑色成分及び青色成分のカラー信号の各成分の輝度と、前記明度補正部で算出された明度補正量とを加えることにより画素毎の明度を算出する明度算出部と、
　前記明度算出部で算出された明度を予め設定された閾値と比較して各画素を２値化する２値化部とを、
　備えたことを特徴とする画像処理装置。
　　【請求項２】　画像を構成する画素の赤色成分、緑色成分及び青色成分のカラー信号の各成分の輝度差に基づいて画素毎の明度補正量を算出する明度補正部と、
　前記赤色成分、緑色成分及び青色成分のカラー信号の各成分の輝度と、前記明度補正部で算出された明度補正量とを加えることにより画素毎の明度を算出する明度算出部と、
　前記明度算出部で算出された所定の領域の画素の明度の最大値と最小値に基づいて、その所定の領域の画素に対応する閾値を算出する閾値算出部と、
　前記明度算出部で算出された明度を前記閾値算出部で算出された閾値と比較して各画素を２値化する２値化部とを、
　備えたことを特徴とする画像処理装置。
　　【請求項３】　前記明度補正部は、前記輝度差が大きい場合に前記明度補正量を大きくし、
　前記明度算出部は、前記明度補正量を加えて明度を算出することを特徴とする請求項１または２記載の画像処理装置。
　　【請求項４】　前記明度補正部は、前記輝度差の絶対値に基づいて前記明度補正量を算出し、
　前記明度算出部は、各成分の輝度の平均値に前記明度補正量を加えて明度を算出することを特徴とする請求項１または２記載の画像処理装置。」
とあったものを、補正後（平成２０年６月１９日付け手続補正）に、
「【請求項１】　画像を構成する画素の赤色成分、緑色成分及び青色成分のカラー信号の各成分の輝度差に基づいて画素毎の明度補正量を算出する明度補正部と、
　前記赤色成分、緑色成分及び青色成分のカラー信号の各成分の輝度と、前記明度補正部で算出された明度補正量とを加えることにより画素毎の補正された明度を算出する明度算出部と、
　前記明度算出部で算出された明度を予め設定された閾値と比較して各画素を２値化する２値化部とを、
　備えたことを特徴とする画像処理装置。
　　【請求項２】　画像を構成する画素の赤色成分、緑色成分及び青色成分のカラー信号の各成分の輝度差に基づいて画素毎の明度補正量を算出する明度補正部と、
　前記赤色成分、緑色成分及び青色成分のカラー信号の各成分の輝度と、前記明度補正部で算出された明度補正量とを加えることにより画素毎の補正された明度を算出する明度算出部と、
　前記明度算出部で算出された所定の領域の画素の明度の最大値と最小値に基づいて、その所定の領域の画素に対応する閾値を算出する閾値算出部と、
　前記明度算出部で算出された明度を前記閾値算出部で算出された閾値と比較して各画素を２値化する２値化部とを、
　備えたことを特徴とする画像処理装置。
　　【請求項３】　前記明度補正部は、前記輝度差が大きい場合に前記明度補正量を大きくし、
　前記明度算出部は、前記明度補正量を加えて明度を算出することを特徴とする請求項１または２記載の画像処理装置。
　　【請求項４】　前記明度補正部は、前記輝度差の絶対値に基づいて前記明度補正量を算出し、
　前記明度算出部は、各成分の輝度の平均値に前記明度補正量を加えて明度を算出することを特徴とする請求項１または２記載の画像処理装置。」
と補正しようとするものである。
　
２．補正の適否
　本件補正は、本件補正前の請求項１及び２に記載した発明を特定するために必要な事項である「画素毎の明度を算出する」を「画素毎の補正された明度を算出する」とした補正であるが、当該補正については、平成２０年６月１９日付け審判請求書の手続補正書において、
「２．補正の根拠の説明
　請求項１ならびに請求項２における「画素毎の補正された明度を算出する」とした補正は、当該画素の明度が補正されたものであることを明確にすることを意図しており［００４０］に記載があります。」
と記載されているように、新規事項の追加はなく、また、本来記載すべきであったものを明確にしたという、平成１８年法律第５５号改正附則第３条第１項によりなお従前の例によるとされる同法による改正前の特許法（以下、「平成１８年改正前特許法」という。）第１７条の２第４項第３号の誤記の訂正を目的とするものに該当する。
　
第３　本願発明について
１．本願発明の認定
　本願の請求項に係る発明は、上記第２で検討したように、平成２０年６月１９日付け手続補正が適法であるため、上記「第２　１．」に記載した本件補正後における特許請求の範囲の請求項１ないし４に記載された事項により特定されるものであるところ、その請求項１に係る発明（以下、「本願補正発明」という。）は、以下のとおりのものである。（再掲） 
　
「【請求項１】　画像を構成する画素の赤色成分、緑色成分及び青色成分のカラー信号の各成分の輝度差に基づいて画素毎の明度補正量を算出する明度補正部と、
　前記赤色成分、緑色成分及び青色成分のカラー信号の各成分の輝度と、前記明度補正部で算出された明度補正量とを加えることにより画素毎の補正された明度を算出する明度算出部と、
　前記明度算出部で算出された明度を予め設定された閾値と比較して各画素を２値化する２値化部とを、
　備えたことを特徴とする画像処理装置。」
　
２．刊行物の記載事項
＜刊行物１＞
　原査定の拒絶の理由に引用された、本願出願前に頒布された刊行物である特開平１０−５１６５５号公報（以下、「刊行物１」という。）には、図面とともに以下の技術事項が記載されている。
　
（ア）「【００１７】
　　【発明の実施の形態】
　本発明は、帳票をカラー画像をして読み取り、明度、彩度等の色の特性から文字画像だけを読み取り、読み取った文字画像をテキストなどの文字データに変換する光学式文字読取装置に適用したものである。」
　
（イ）「【００１８】
　まず、本発明の第１実施例の構成を図面とともに説明する。
　図２に本発明の第１実施例のブロック構成図を示す。
　本実施例の光学式文字読取装置１０は、帳票を読みとりＲ（赤），Ｇ（緑），Ｂ（青）の三色の画像信号を得るカラー画像入力部１１、カラー画像入力部１１で得られたＲ（赤），Ｇ（緑），Ｂ（青）の三色の画像信号から最大明度値（Ｖ値）及び最小彩度値（Ｓ値）を抽出する抽出回路１２、抽出回路１２で抽出されたＳ値を所定の閾値と比較するＳ値比較回路１３、Ｓ値比較回路１３で比較するＳ閾値を格納するＳ閾値設定部１４、複数の閾値を設定したＶ閾値設定部１５、Ｓ値比較回路１３の比較結果に応じてＶ閾値設定部１５に設定された複数の閾値から一の閾値を選択するＶ閾値選択回路１６、抽出回路１２で抽出されたＶ値とＶ閾値選択回路１６で選択されたＶ閾値との大小関係を比較する抽出判定回路１７、抽出判定回路１７の判定結果に応じてモノクロ画像を生成するとともに閾値を設定する上位画像処理部１８から構成される。
【００１９】
　カラー画像入力部１１は帳票に３原色Ｒ，Ｇ，Ｂを含む光が照射された帳票からの反射光を受光し、受光した反射光をＲ，Ｇ，Ｂそれぞれに電気信号に変換するカラーＣＣＤ部１９、カラーＣＣＤ部１９で変換されたＲ，Ｇ，Ｂに対応した各電気信号のレベルを予め設定された比率で調整するレベル調整回路２０より構成される。
【００２０】
　図２に本発明の第１実施例のカラー画像入力部の動作説明図を示す。
　カラーＣＣＤ部１９は、図２（Ａ）に示すように帳票２１の走査方向（矢印Ａ方向）に対して直交する矢印Ｂ方向にライン状に光電変換素子が延在した構成とされている。また、カラーＣＣＤ部１９は図２（Ｂ）に示すようにＲ（Ｒｅｄ）用光電変換素子列２０ａ、Ｇ（Ｇｒｅｅｎ）用光電変換素子列２０ｂ、Ｂ（Ｂｌｕｅ）用光電変換素子列２０ｃの３原色ＲＧＢそれぞれに各一列の計３列の光電変換素子列から構成される。
【００２１】
　レベル調整回路２０は、光電変換素子がＲＧＢの各色で感度が異なるため、Ｒ（Ｒｅｄ）用光電変換素子列２０ａ、Ｇ（Ｇｒｅｅｎ）用光電変換素子列２０ｂ、Ｂ（Ｂｌｕｅ）用光電変換素子列２０ｃの各素子列で得られた電気信号のレベルに予め設定された比率を乗算することによりいわゆる白レベル調整を行う。
【００２２】
　抽出回路１２は、カラー画像調整回路２０で調整されたＲＧＢ各色の電気信号を比較し最小レベルの信号を選択する最小値選択用コンパレータ回路２２、カラー画像調整回路２０で調整されたＲＧＢ各色の電気信号を比較し最大レベルの信号を選択する最大値選択用コンパレータ回路２３、最小値選択用コンパレータ回路２２で選択された最小値を最大値選択用コンパレータ回路２３で選択された最大値で除算することにより彩度（Ｓ値）に応じた値を得る除算回路２４、除算回路２４で得られた彩度（Ｓ値）をディジタルデータに変換するＡ／Ｄ（アナログ／ディジタル）変換回路２５、最大値選択用コンパレータ回路２３で選択された最大値をディジタルデータに変換し、出力するＡ／Ｄ（アナログ／ディジタル）変換回路２６より構成される。抽出回路１２では、カラー画像入力部１１で得ら
れたＲＧＢ各色毎の電気信号のうち最大値を明度（Ｖ値）として求め、最小値及び最大値から以下の変換式に応じて彩度（Ｓ値）を求める。
【００２３】
　明度（Ｖ値）は、ＲＧＢ各色毎の電気信号をｒ，ｇ，ｂとすると、ＲＧＢ各色の電気信号ｒ，ｇ，ｂのうちの最大値とし、
　（明度）＝ｍａｘ（ｒ，ｇ，ｂ）＝Ｖ値
で求める。
【００２４】
　また、彩度（Ｓ値）は、ＲＧＢ各色毎の電気信号をｒ，ｇ，ｂとすると、一般に、
　（彩度）＝｛max(r,g,b)−min(r,g,b)｝／max(r,g,b)
　　　　　＝１−min(r,g,b)／max(r,g,b)
で表される。
【００２５】
　ここで、本実施例では回路構成を簡単にするため、
　min(r,g,b)／max(r,g,b)
を彩度（Ｓ値）として求める。
　抽出回路１２で求められた彩度Ｓ値は、Ｓ値比較回路１３に供給される。Ｓ値比較回路１３はコンパレータ２７からなり、抽出回路１２で求められた彩度Ｓ値をレジスタ２８からなるＳ閾値設定部１４に予め設定された閾値θs と比較して、Ｓ値が閾値より大きいときにはハイレベル、小さいときにはローレベルの信号を出力する。
【００２６】
　コンパレータ２７の出力信号は、Ｖ閾値選択回路１６に供給される。Ｖ閾値選択回路１６は、マルチプレクサ２９よりなり、コンパレータ２７から供給される出力信号に応じてＶ閾値設定部１５のレジスタ３０，３１に予め設定された大小２つのＶ閾値θv1，θv2から１つのＶ閾値θv0を選択して出力する。
【００２７】
　マルチプレクサ２９で選択されたＶ閾値θv0は、抽出判定回路１７に供給される。抽出判定回路１７は、コンパレータ３２から構成され、マルチプレクサ２９からＶ閾値θv0が供給されると共に抽出回路１２のＡ／Ｄ変換回路２６から明度Ｖ値が供給され、Ａ／Ｄ変換回路２６から供給されたＶ値をマルチプレクサ２９で選択されたＶ閾値θv0と比較し、白、黒の判定を行う。コンパレータ３２は、Ａ／Ｄ変換回路２６から供給されたＶ値がマルチプレクサ２９から供給されたＶ閾値θv0より大きければ、白と判定し、ハイレベル信号を出力し、Ａ／Ｄ変換回路２６から供給されたＶ値がマルチプレクサ２９から供給されたＶ閾値θv0より小さければ、黒と判定し、ローレベル信号を出力する。
【００２８】
　抽出判定回路１７で判定された信号は、上位画像処理部１８に供給する。
　上位画像処理部１８はＭＰＵ（Micro-Processing Unit ）３３等が内蔵され、コンパレータ３２のハイ又はローレベルの出力信号から帳票２１の文字や文字枠の画像を抽出し、抽出した文字をテキストデータに変換する。また、上位画像処理部１８はＳ閾値設定部１４及びＶ閾値設定部１５に接続されていて、外部からキーボードなど操作することにより、Ｓ閾値設定部１４のレジスタ２８に設定されたＳ閾値θs 及びＶ閾値設定部１５の２つのレジスタ３０，３１に設定されたＶ閾値θv1，θv2を変更可能とされている。」
　
（ウ）「【００２９】
　次に図とともに本実施例の動作について説明する。
　図３に本発明の第１実施例の動作説明図を示す。図３は色相（Ｈ）−彩度（Ｓ）−明度（Ｖ）の色の三属性を三次元表示したもので、矢印Ｘ方向に明度（Ｖ）の軸を有し、明度（Ｖ）の軸を中心として外周方向（矢印Ｙ方向）で彩度（Ｓ）、明度（Ｖ）の軸を中心に回転する方向（矢印Ｃ方向）で色相を示す。
【００３０】
　ここで、本実施例で認識しようとする帳票２１の特徴について着目すると、文字は文字枠に対して十分黒い色であり、文字枠は彩度（Ｓ）が大きい、すなわち、鮮やかな色か、または、鮮やかでないときには明度（Ｖ）が大きい値に設定され、さらに、用紙の地色は文字や文字枠に対して十分白い色に設定されているものとする。
【００３１】
　また、カラーＣＣＤ部１９について着目してみると、色ずれにより発生した文字枠の輪郭部の色は、色相上は枠と全く別の色になる場合が多いが、彩度（Ｓ）に注目すると枠色と同等かそれ以上となる。　　　　　　　　　　　　　　　　
　さらに、黒い文字に対するＲＧＢの値は、ｒ≠ｇ≠ｂ≒０となる場合がほとんどで、そのときの彩度（Ｓ）は式（２）に示した彩度（Ｓ）を求める式から明らかなように、本来無彩色であるべき色が非常に大きな彩度（Ｓ）値をとることはあるが、明度（Ｖ）までもが大きくなることは少ないものとする。
【００３２】
　以上のことから、文字の色と文字枠の色と紙の地色を色相（Ｈ）−彩度（Ｓ）−明度（Ｖ）の三次元的な空間で示すと、図３に実線で示す円錐の内部に収容される。
　ここで、ドロップアウトカラーと呼ばれるような色でも明度（Ｖ）情報だけでは文字と文字枠との区別が付かない場合がある。例えば、茶色系の文字枠と文字のかすれた部分や紙の地色の色ずれ等である。この場合、図３の領域Ｓ1 、Ｓ2 で示す領域に文字枠や紙の地色の分布がある場合である。この場合、明度（Ｓ）だけで判定を行うと、標準的な紙の色の分布Ｓ3 より明度（Ｖ）が小さくても、領域Ｓ1 ，Ｓ2 を含む場合があり、文字枠や色ずれ部分が含まれてしまう。
【００３３】
　また、彩度（Ｓ）だけでも区別が付かない場合がある。例えば、黒に近くなるとmin(r,g,b)がmax(r,g,b)に比べて早く０になるので、式（２）に示す彩度（Ｓ）を求める式において、min(r,g,b)／max(r,g,b)が早く０となり、彩度（Ｓ）が大きくなり、文字などが除去されてしまう。例えば、図３の黒色の文字分布Ｓ4 の波線で示す円錐の外側などである。
【００３４】
　本実施例では、抽出回路１２で彩度（Ｓ値）及び明度（Ｖ値）を抽出し、Ｓ値比較回路１３で抽出した彩度（Ｓ値）がＳ閾値θs より大きいか、小さいか、すなわち、図３の波線で示す円錐の内側か、外側かを判定し、抽出した彩度（Ｓ値）がＳ閾値θs より大きい、すなわち、図３の破線で示す円錐の内側であれば、Ｖ閾値選択回路１６により大きいＶ閾値θv2を選択し、抽出した彩度（Ｓ値）がＳ閾値θs より小さい、すなわち、図３の波線で示す円錐の外側であれば、Ｖ閾値選択回路１６により小さいＶ閾値θv1を選択する。
【００３５】
　すなわち、画素データが図３の破線で示す領域内であれば、明度（Ｖ値）を判定するＶ閾値として大きい方の閾値θv2が選択され、明度（Ｖ値）が閾値θv2と比較され、白黒の判定が行われる。また、画素データが図３の破線で示す領域外であれば、明度（Ｖ値）を判定するＶ閾値として大きい方の閾値θv1が選択され、明度（Ｖ値）が閾値θv1と比較され、白黒の判定が行われる。明度（Ｖ値）が彩度（Ｓ値）に応じて選択されたＶ閾値θv1、θv2より小さければ、黒と判定され、大きければ白と判定される。
【００３６】
　このとき、白黒の判定範囲は図３に梨地で示す範囲のとき、黒と判定され、それ以外の範囲で白と判定される。このため、文字枠の分布Ｓ1 や色ずれの部分Ｓ2 の領域を含まず、かつ、文字の分布Ｓ4 はすべて含まれる文字の黒色の分布Ｓ4 に近似した特性で白黒の判定が行えるため、文字だけを確実に抽出できる。」
　
　上記（ア）ないし（ウ）の記載事項を総合勘案すると、刊行物１には、次の発明（以下、「刊行物１発明」という。）が開示されていると認められる。
　
「帳票を読みとりＲ（赤），Ｇ（緑），Ｂ（青）の三色の画像信号を得るカラー画像入力部１１、カラー画像入力部１１で得られたＲ（赤），Ｇ（緑），Ｂ（青）の三色の画像信号からＲＧＢ各色毎の電気信号をｒ，ｇ，ｂとして、max(r,g,b)で求められる最大明度値（Ｖ値）及びmin(r,g,b)／max(r,g,b)によって求められる最小彩度値（Ｓ値）を抽出する抽出回路１２、抽出回路１２で抽出されたＳ値を所定の閾値と比較するＳ値比較回路１３、Ｓ値比較回路１３で比較するＳ閾値を格納するＳ閾値設定部１４、複数の閾値を設定したＶ閾値設定部１５、Ｓ値比較回路１３の比較結果に応じてＶ閾値設定部１５に設定された複数の閾値から一の閾値を選択するＶ閾値選択回路１６、抽出回路１２で抽出されたＶ値とＶ閾値選択回路１６で選択されたＶ閾値との大小関係を比較する抽出判定回路１７、抽出判定回路１７の判定結果に応じてモノクロ画像を生成するとともに閾値を設定する上位画像処理部１８とを備えた光学式文字読取装置１０。」
　
３．対比
　本願補正発明を、刊行物１発明と比較する。
　
（ア）刊行物１発明における「帳票を読みとりＲ（赤），Ｇ（緑），Ｂ（青）の三色の画像信号を得るカラー画像入力部１１」で得られる「Ｒ（赤），Ｇ（緑），Ｂ（青）の三色の画像信号」は、本願補正発明における「画像を構成する画素の赤色成分、緑色成分及び青色成分のカラー信号」に相当する。
　
（イ）本願補正発明における「明度補正部」において算出する「画像を構成する画素の赤色成分、緑色成分及び青色成分のカラー信号の各成分の輝度差に基づいて」算出される「画素毎の明度補正量」は、発明の詳細な説明を参酌すると、
「【００１２】
　明度補正部２は、光電変換部１から出力されるカラー信号ｒ，ｇ，ｂに基づき、次の（１）式によって明度補正量Ｓを算出するものである。
　　Ｓ＝（｜ｒ−ｇ｜＋｜ｒ−ｂ｜＋｜ｇ−ｂ｜）／２　・・・（１）
　なお、ｒ，ｇ，ｂは、それぞれ０〜１の範囲に収まるように正規化された輝度値である。これにより、明度補正量Ｓは０から１の範囲内の値となる。」
と記載されているように、上記（１）式で表現される値である。
　そして、上記（１）式の括弧内の値は、例えば、特開平１０−２３２６７号公報（第５ページの（２）式）等に記載されているように、各画素の彩度を表す値であることは周知な事項であり、上記（１）式では、上記括弧内の値を２で除算することによって、０から１の範囲内の値になるようにしたものである。
　すなわち、上記本願補正発明における「画素毎の明度補正量」とは、画素毎の彩度を表す値であるといえる。
　してみると、刊行物１発明における「最小彩度値（Ｓ値）」を抽出する「抽出回路１２」と本願補正発明における「画像を構成する画素の赤色成分、緑色成分及び青色成分のカラー信号の各成分の輝度差に基づいて画素毎の明度補正量を算出する明度補正部」とは、画像を構成する画素の赤色成分、緑色成分及び青色成分のカラー信号の各成分に基づいて画素毎の彩度を表す値を算出する彩度算出部という点で一致している。
　
（ウ）本願補正発明における「明度算出部」において算出する「前記赤色成分、緑色成分及び青色成分のカラー信号の各成分の輝度と、前記明度補正部で算出された明度補正量とを加えることにより」算出される「画素毎の補正された明度」は、「２値化部」において「閾値と比較して各画素を２値化する」ために使用される明度である。
　また、刊行物１発明における「最大明度値（Ｖ値）」も、「抽出判定回路１７」において「Ｖ閾値」との大小関係を比較し、「上位画像処理部１８」において「モノクロ画像を生成」するために使用される明度であり、「モノクロ画像を生成」することは、画像を２値化することである。
　してみると、刊行物１発明における「最大明度値（Ｖ値）」を抽出する「抽出回路１２」と本願補正発明における「前記赤色成分、緑色成分及び青色成分のカラー信号の各成分の輝度と、前記明度補正部で算出された明度補正量とを加えることにより画素毎の補正された明度を算出する明度算出部」とは、各画素を２値化するための閾値と比較するための明度を算出する明度算出部という点で一致している。
　
（エ）刊行物１発明における「抽出回路１２で抽出されたＶ値とＶ閾値選択回路１６で選択されたＶ閾値との大小関係を比較する抽出判定回路１７」及び「抽出判定回路１７の判定結果に応じてモノクロ画像を生成するとともに閾値を設定する上位画像処理部１８」は、両回路を合わせて、本願補正発明における「明度」を「閾値と比較して各画素を２値化する２値化部」に相当する。
　
（オ）刊行物１発明における「光学式文字読取装置１０」は、本願補正発明における「画像処理装置」に相当する。
　
　すると、本願補正発明と、刊行物１発明とは、次の点で一致する。
＜一致点＞
　画像を構成する画素の赤色成分、緑色成分及び青色成分のカラー信号の各成分に基づいて画素毎の彩度を表す値を算出する彩度算出部と、
　各画素を２値化するための閾値と比較するための明度を算出する明度算出部と、
　前記明度算出部で算出された明度を閾値と比較して各画素を２値化する２値化部とを、
　備えた画像処理装置
　
　一方で、両者は、次の点で相違する。
＜相違点１＞
　「彩度算出部」が算出する「画像を構成する画素の赤色成分、緑色成分及び青色成分のカラー信号の各成分に基づ」く「画素毎の彩度を表す値」が、本願補正発明では、画像を構成する画素の赤色成分、緑色成分及び青色成分のカラー信号の各成分の「輝度差に基づ」く「画素毎の明度補正量」であり、そのため、「彩度算出部」を「明度補正部」と呼称しているのに対し、刊行物１発明では、画像を構成する画素の赤色成分、緑色成分及び青色成分のカラー信号の各成分から「min(r,g,b)／max(r,g,b)によって求められる最小彩度値（Ｓ値）」であり、「彩度算出部」を「抽出回路１２」と呼称している点。
　
＜相違点２＞
　「明度算出部」が算出する「各画素を２値化するための閾値と比較するための明度」が、本願補正発明では、「前記赤色成分、緑色成分及び青色成分のカラー信号の各成分の輝度と、前記明度補正部で算出された明度補正量とを加えることにより画素毎」に「補正された明度」であるのに対し、刊行物１発明では、「max(r,g,b)で求められる最大明度値（Ｖ値）」である点。
　
＜相違点３＞
　「閾値」が、本願補正発明では、「予め設定された閾値」であるのに対し、刊行物１発明では、「Ｖ閾値選択回路１６」において、抽出回路１２で抽出されたＳ値とＳ閾値設定部１４に格納されたＳ閾値と比較するＳ値比較回路１３の比較結果に応じてＶ閾値設定部１５に設定された複数の閾値から選択した一の閾値である点。
　
４．判断
　上記各相違点について検討する。
　
（ア）相違点１について
　「画素毎の彩度を表す値」として、画像を構成する画素の赤色成分、緑色成分及び青色成分のカラー信号の各成分の輝度差に基づいて算出される値があることは、上記第４（イ）に記載したように、周知な事項であり、刊行物１発明においても、「画素毎の彩度を表す値」として、画像を構成する画素の赤色成分、緑色成分及び青色成分のカラー信号の各成分の輝度差に基づいて算出される値を使用することは、当業者が適宜なし得ることである。
　また、構成要素の呼称は、使用用途等に応じて適宜付けられるものにすぎないから、特段の相違点ではない。
　
（イ）相違点２及び３について
　画像を２値化する際に、比較対象を連続的な閾値から選択した閾値と比較することと、閾値を一つとして、比較対象を補正して比較することとが等価であることは、例えば、特開平９−２５２４０５号公報（段落【００５９】及び【００６０】）に記載されているように、周知な事項であるから、刊行物１発明において、Ｖ閾値設定部１５に設定された複数の閾値から彩度（Ｓ値）に基づいて選択した一の閾値と比較対象である明度値（Ｖ値）とを比較して各画素を２値化することに代えて、比較対象である明度値（Ｖ値）を彩度（Ｓ値）で補正し、予め設置された一つの閾値と比較して各画素を２値化するようにすることは、当業者が適宜なし得ることである。
　
　そして、上記各相違点を総合的に検討しても、色を使用した画像処理という同一の技術分野に属する上記刊行物１発明と上記周知な事項を組み合わせることにより、本願補正発明を構成することは、当業者が容易に想到し得ることであり、その作用効果も当業者が予測し得るものにすぎない。
　
５．むすび
　以上のとおり、本願の請求項１に係る発明は、刊行物１に記載された発明に基づいて、当業者が容易に発明をすることができたものであるから、特許法第２９条第２項の規定により特許を受けることができないものである。
　したがって、その余の請求項について論及するまでもなく、本願は、拒絶すべきものである。
　よって、結論のとおり審決する。